(57)【特許請求の範囲】
【請求項１】
ＰＯＳレジスターの入力用のタッチパネルにおいて、選択可能なキーの順序を定めたキーシーケンスに従って、該タッチパネルの面上に表示される複数の選択キーの内、選択時に必要な選択キーのみを通常表示させると共に、不必要な選択キーは明暗、色彩、模様等を変化させて表示させることを特徴とするＰＯＳレジスターのタッチパネルの表示方法。
【請求項２】
ＰＯＳレジスターの入力用のタッチパネルにおいて、選択可能なキーの順序を定めたキーシーケンスに従って、該タッチパネルの面上に表示される複数の選択キーの内、選択時に必要な選択キーのみを通常表示させると共に、不必要な選択キーは押圧しても反応しないようにしたことを特徴とするＰＯＳレジスターのタッチパネルの表示方法。
【請求項３】
ＰＯＳレジスターの入力用のタッチパネルにおいて、選択可能なキーの順序を定めたキーシーケンスに従って、該タッチパネルの面上に表示される複数の選択キーの内、選択時に必要な選択キーのみを通常表示させると共に、不必要な選択キーは表示させないことを特徴とするＰＯＳレジスターのタッチパネルの表示方法。
【発明の詳細な説明】
【０００１】
【産業上の利用分野】
本発明はスーパー、ディスカウント店、コンビニエンスストアー等に設置されているＰＯＳシステムのタッチパネルに関するもので、更に詳細には、誤動作をなくし、作業性と操作性を向上させたＰＯＳシステムのタッチパネルに関するものである。
【０００２】
【従来技術】
従来、この種のＰＯＳシステムに入力等の操作をするための入力装置はキーボードが用いられていたが、操作が複雑なことからタッチパネルが用いられるように成っており、タッチパネルの表示はキーボードと同様に全ての選択キーを画面上に表示したものであった。
【０００３】
又、タッチパネルを操作して別モードに変化させた場合、表示される複数の選択キーの内容を変えるものも開発されている。
【０００４】
【解決しようとする課題】
然し乍ら、タッチパネルの面状に表示された選択キーを間違ってタッチすることで誤作動を生じエラー状態と成っており、エラーを通告する不愉快な警告音を発生したり、エラー解除の処理が必要となり無駄な手間暇をかける結果と成っていた。
【０００５】
又、エラー発生後エラー理由等を説明表示されるが、操作と共に、ガイドメッセージに説明を加えれば良いものである。
従って、本発明の目的は、ＰＯＳレジスターの入力の為のタッチパネルの誤操作を防止して操作性を向上させるＰＯＳレジスターのタッチパネルの表示方法を提供するものである。
【０００６】
【課題を解決するための手段】
本発明は前記の事由に鑑みて、選択可能なキーの順序を定めたキーシーケンスに従って、タッチパネルの面上に表示される複数の選択キーの内、選択時に必要な選択キーのみを通常表示させると共に、不必要な選択キーは明暗、色彩、模様等を変化させて表示させるものであり、更に、不必要な選択キーは押圧しても反応しないようにしたものであり、加えて、不必要な選択キーは表示させないものである。
【０００８】
【作用】
本発明は、ＰＯＳレジスターのタッチパネルにおいて、選択可能なキーの順序を定めたキーシーケンスに従って、表示される複数の選択キーの内、必要な選択キーのみを通常表示させると共に、不必要な選択キーは明暗、色彩、模様等を変化させて表示、又は、押圧しても反応しないように、又は、表示させないことによって、誤操作を防止するものである。
【０００９】
【実施例】
以下、本発明のＰＯＳシステムのタッチパネルの表示方法を実施した図面によって具体的に説明する。
【００１０】
図１は本発明のＰＯＳシステムのタッチパネルの表示方法を実施した実施例を説明するための概要説明図であり、図２は本発明のＰＯＳシステムのタッチパネルの表示方法を実施した次実施例を説明するための概要説明図であり、図３は本発明のＰＯＳシステムのタッチパネルの表示方法を実施した他の実施例を説明するための概要説明図であり、図４は本発明のＰＯＳシステムのキーシーケンス例を表す概要説明図であり、図５は本発明の図４のキーシーケンス例をキーシーケンステーブルに表現した概要説明図であり、図６は本発明のＰＯＳシステムのタッチパネルの表示方法を実施した実施様態を説明する概要説明図である。
【００１１】
本発明はスーパー、ディスカウント店、コンビニエンスストアー等に設置されているＰＯＳシステムのタッチパネルに関するもので、更に詳細には、誤動作をなくし、作業性と操作性を向上させたＰＯＳシステムのタッチパネルに関するものであり、請求項１に記載のＰＯＳシステムのタッチパネルの表示方法は、ＰＯＳシステムの入力用のタッチパネルにおいて、該タッチパネルの面上に表示される複数の選択キー１Ａ．１Ｂの内、選択時に必要な選択キー１Ａのみを通常表示させると共に、不必要な選択キー１Ｂは明暗、色彩、模様等を変化させて表示させるものである。
【００１２】
更に、請求項２に記載のＰＯＳシステムのタッチパネルの表示方法は、ＰＯＳシステムの入力用のタッチパネルにおいて、該タッチパネルの面上に表示される複数の選択キー１Ａ．１Ｂの内、選択時に必要な選択キー１Ａのみを通常表示させると共に、不必要な選択キー１Ｂは押圧しても反応しないようにするものである。
【００１３】
加えて、請求項３に記載のＰＯＳシステムのタッチパネルの表示方法は、ＰＯＳシステムの入力用のタッチパネルにおいて、該タッチパネルの面上に表示される複数の選択キー１Ａ．１Ｂの内、選択時に必要な選択キー１Ａのみを通常表示させると共に、不必要な選択キー１Ｂは表示させないものである。
【００１４】
即ち、本発明のＰＯＳ（Ｐｏｓｔ  Ｏｆ  Ｓａｌｅｓ）システムは販売時点情報管理システムであり、近年、デパート、スーパー等の大型店、或いは、多数のチェーン店を有するコンビニエンスストアーには採用されているものであり、レジスターと接続され、レジスターに備えたバーコード読取器或いはパソコン自動読み取り器等の商品読取手段によって入力される売上商品の売上情報を一括管理しているものである。
【００１５】
そして、タッチパネルは商品の売上情報を入力するために多数の選択キー１Ａ．１Ｂを表示させた面状のものであり、何れかの選択キー１Ａ．１Ｂをタッチすることにより入力されるものである。
【００１６】
次に、本発明の実施例では、図１に図示する如く、表示されている複数の選択キー１Ａ．１Ｂの内、必要な選択キー１Ａのみを通常表示させるものであって、一方、不必要な選択キー１Ｂは明暗、色彩、模様等を変化させて表示させるものであって、操作者は一目して必要な選択キー１Ａが判断できるもので、誤操作によって押圧することが激減するものである。
【００１７】
更に、次実施例では、図２に図示する如く、選択時に必要な選択キー１Ａのみを通常表示させ、一方、不必要な選択キー１Ｂは押圧しても反応しないようにしているものであって、この場合、誤操作は皆無なものとなるものである。
【００１８】
更には、他の実施例では、選択時に必要な選択キー１Ａのみを通常表示させ、一方、不必要な選択キー１Ｂは表示させないものであり、操作者は一目して必要な選択キー１Ａが判断できるもので、誤操作によって押圧することが激減するものである。
【００１９】
即ち、本発明は選択キー１Ａ．１Ｂの押圧するための順位、つまり、キーシーケンスに従って押圧できる選択キー１Ａ．１Ｂを前もって調べて、タッチパネルの選択キー１Ａ．１Ｂの表示又は反応に変化をさせるものである。
【００２０】
そして、前記キーシーケンスをテーブル化することによって、その状態で押圧できる、又は、次に押圧できる必要な選択キー１Ａのみを通常表示させるものであり、図４は全てのキーシーケンスを表した例で、一行目はＫＥＹＡを押圧した後にＫＥＹＢを押圧して、ＫＥＹＢを押圧した後にＫＥＹＣを押圧する順序を表すもので、二行目はＫＥＹＢを押圧した後にＫＥＹＤを、三行目はＫＥＹＡを押圧した後にＫＥＹＢを、その後にＫＥＹＤを、４行目はＫＥＹＸを押圧した後にＫＥＹＹを押圧して、ＫＥＹＹを押圧した後にＫＥＹＺを押圧する順序を表すものである。
【００２１】
次に、図５に図示するものは図４の全てのキーシーケンスをテーブル化したもので、初期状態のテーブル１ではＫＥＹＡとＫＥＹＸとＫＥＹＢとが表示されおり、ＫＥＹＡを押圧することによりテーブル２ではＫＥＹＢのみの通常表示に成り、ＫＥＹＢを押圧することにより、テーブル３ではＫＥＹＣとＫＥＹＤとが通常表示と成るものであり、更に、テーブル１の状態でＫＥＹＢを直接押圧した場合はテーブル４のＫＥＹＤのみの通常表示と成るものであり、更に、ＫＥＹＸを押圧することにより、テーブル６のＫＥＹＹが通常表示と成り、ＫＥＹＹを押圧することによりテーブル５のＫＥＹＺが通常表示となるものである。
【００２２】
次に、図６に図示する如く、本発明の実施様態では、例えば、初期状態でＰＯＳシステムのタッチパネルのテーブル１で「クレジット宣言」の選択キーを押圧することにより、テーブル２では「一括」「ボーナス」「併用」「分割」の必要な選択キー１Ａは通常表示されるもので、次いで、「ボーナス」を押圧した場合、テーブル３で「併用」「夏」「冬」「夏冬」と必要な選択キー１Ａと成り通常表示され、テーブル２で通常表示されていた「一括」「ボーナス」「併用」「分割」は不必要な選択キー１Ｂと成り、明暗、色彩、模様等が変化されて表示されるか、押圧しても反応しないか、表示させないものである。
【００２３】
又、この時、「ボーナス」「併用」「分割」を必要な選択キー１Ａとして表示させても良く、先に押圧した選択キー「ボーナス」を「一括」に変更する場合に好適なものである。
【００２４】
更には、テーブル３の「夏冬」を押圧することによって、「２回」「６回」「１０回」「その他」と必要な選択キー１Ａが普通表示され、テーブル２で通常表示されていた「一括」「ボーナス」「併用」「分割」、及び、テーブル３で通常表示されていた「併用」「夏」「冬」「夏冬」は不必要な選択キー１Ｂと成り、明暗、色彩、模様等が変化されて表示されるか、押圧しても反応しないか、表示させないものである。
【００２５】
又、ここでも、「併用」「夏」「冬」「夏冬」を必要な選択キー１Ａとして表示させることも可能なものである。
【００２６】
更に、各選択キーの表示位置の関係は、図６で図示する如く、次々に下方に表示する選択キーを移動させる以外に表示する選択キーの内容を変える方法も有るが、一般的には選択キーの位置が変化しない方がオペレーターは操作し易いものである。
【００２７】
従来のエラー処理はエラーを起こしてからエラー理由を表示していたものであるが、本発明では操作中に操作ガイダンス中に不可操作の説明を表示したり、ＨＥＬＰ等で操作不可能の理由等の説明を行うことができるものである。
【発明の効果】
【００２８】
本発明のＰＯＳシステムのタッチパネルの表示方法は、前述の構成によって、押圧できる必要な選択キーと不必要な選択キーが明確となり、誤操作が極減又は皆無と成るため効率化が計れると共に、誤操作による不愉快なエラー音から解放され、操作性の向上を計るものであり、実用性の高い発明である。
【図面の簡単な説明】
【図１】図１は本発明のＰＯＳシステムのタッチパネルの表示方法を実施した実施例を説明するための概要説明図である。
【図２】図２は本発明のＰＯＳシステムのタッチパネルの表示方法を実施した次実施例を説明するための概要説明図である。
【図３】図３は本発明のＰＯＳシステムのタッチパネルの表示方法を実施した他の実施例を説明するための概要説明図である。
【図４】図４は本発明のＰＯＳシステムのキーシーケンス例を表す概要説明図である。
【図５】図５は本発明の図４のキーシーケンス例をキーシーケンステーブルに表現した概要説明図である。
【図６】図６は本発明のＰＯＳシステムのタッチパネルの表示方法を実施した実施様態を説明する概要説明図である。
【符号の説明】
１Ａ      必要な選択キー
１Ｂ      不必要な選択キー
【図１】
0004394243.tif 000002
【図２】
0004394243.tif 000003
【図３】
0004394243.tif 000004
【図４】
0004394243.tif 000005
【図５】
0004394243.tif 000006
【図６】
0004394243.tif 000007